(57)【特許請求の範囲】
【請求項１】
本体部２と、
該本体部２に収容された下部および、本体部２から上方に延びて搭載物を固定できる上部を有するシャフト４を本体部２の軸方向に移動可能に設け、
該シャフト４の下部に、定荷重バネ１０の下端１０cを取付けるための端部８bとシャフト４より小径の貫通孔８cを備えるバネ固定金具８を配置し、貫通孔８ｃより小径のネジ部をもつネジ９を貫通孔８ｃに通してシャフト４に取付け、該金具８を、シャフト４と金具８との間および金具８とネジ９の頭部との間にスキマＸを設けてシャフト４の下端部に取付け、
本体部２の上部とバネ固定金具８の端部８ｂとの間に、該金具８を介してシャフト４に軸方向の位置を保持するための付勢力を付与する定荷重バネ１０を設け、
それによって、シャフト４を軸方向に移動可能かつ軸回りに回動可能に保持したことを特徴とする投光器等の搭載物用手動伸縮柱。
【請求項２】
上記シャフト４の回動を固定できる手段を備えたことを特徴とする請求項１に記載の手動伸縮柱。
【請求項３】
上記シャフト４の軸方向の移動を固定できる手段を備えたことを特徴とする請求項１または２に記載の手動伸縮柱。
【請求項４】
上記定荷重バネ１０の板バネ１０ｂを上記シャフト４の軸に対して傾斜して配置したことを特徴とする請求項１に記載の手動伸縮柱。
【発明の詳細な説明】
【０００１】
【発明の属する技術分野】
本発明は、投光器、アンテナまたはテレビカメラ等の搭載物を昇降可能に設置し、任意の高さで保持する手動伸縮柱に関するものである。
【０００２】
【従来の技術】
投光器等の搭載物を昇降する機構について従来から種々の提案がなされており、搭載物の重量負担を軽減して昇降操作を容易にするために昇降の動力を提供する駆動モータを設けたものがある。
【０００３】
【発明が解決しようとする課題】
しかし、駆動モータを設けるとその駆動機構が複雑化し、装置を軽量小型化することに限界がある。また、搭載物の種類によっては軸回りに回動させる機構を別途設ける必要があり、軽量小型化がさらに困難となっている。
本発明は、かかる状況に鑑みてなされたものであり、軽量小型化が可能な手動伸縮柱を提供することを目的とする。
【０００４】
【課題を解決するための手段】
本発明に係る手動伸縮柱は、昇降用駆動源の代わりに定荷重バネを用いることで軽量小型化を実現しつつ、昇降時の搭載物重量の負担軽減を図ったものであり、さらに、搭載物を軸回りに回動させることができるようにしたものである。
すなわち、本発明は、本体部と、該本体部に収容された下部および、本体部から上方に延びて搭載物を固定できる上部を有するシャフトを本体部の軸方向に移動可能に設け、
該シャフトの下部に、定荷重バネの下端を取付けるための端部とシャフトより小径の貫通孔を備えるバネ固定金具を配置し、貫通孔より小径のネジ部をもつネジを貫通孔に通してシャフトに取付け、該金具を、シャフトと金具との間および金具とネジの頭部との間にスキマＸを設けてシャフトの下端部に取付け、本体部の上部とバネ固定金具の端部との間に、該金具を介してシャフトに軸方向の位置を保持するための付勢力を付与する定荷重バネを設け、それによって、シャフトを軸方向に移動可能かつ軸回りに回動可能に保持したことを特徴とする投光器等の搭載物用手動伸縮柱である。
必要に応じて、上記シャフトの回動を固定できる手段や、上記シャフトの軸方
向の移動を固定できる手段を備えてもよい。
上記定荷重バネの板バネを上記シャフトの軸に対して傾斜して配置することが
好ましい。
【０００５】
【発明の実施の形態】
次に、本発明に係る手動伸縮柱の実施の形態について図面に基づいて説明する。
図１に示すように、手動伸縮柱１は、角柱形状の本体部２の上端に保持部材３を設け、この保持部材３を介してステンレス製のシャフト４を保持している。シャフト４の上端部に、一対の投光器５を載置する架台６を設けた。本体部２は、中間部上方位置にフランジ部２ａを有し、下端部にアングル部２ｂを有する。このフランジ部２ａおよびアングル部２ｂに取付穴を穿設してあり、手動伸縮柱１を設置するときには、フランジ部２ａの取付穴およびアングル部２ｂの取付穴にボルト（図示省略）を挿入固定して所定の場所に立設させる。なお、本体部２は、下端部に水抜きパイプ２ｃを有する。
図１および図２に示すように、シャフト４を軸方向に移動して、本体部２に対して伸縮させることができる。本実施形態におけるシャフト４の伸縮ストロークは、例えば９００ｍｍ程度である。
【０００６】
図４に示すように、保持部材３には、上下２個所にオイルレスメタル３ａ、３ａを設ける。これによりシャフト４の滑りを良好にでき、シャフト４を、軸方向に移動できるとともに軸回りに回動できるように保持部材３で保持する。保持部材３にロックネジ７を設けており、このロックネジ７でシャフト４の動きを固定できる。
シャフト４の上部は本体部２から出ていて、シャフト４の下部は本体部２に収容されている。シャフト４の下部にはバネ固定金具８が取付けられている。図５に示すように、バネ固定金具８は、後述する板バネ１０ａの下端１０ｃを取り付けるための端部８ｂ、８ｂとシャフト４より小径の貫通孔８ｃを備える。その取付けは、シャフト４の下端にメネジ４ａを螺設し、このメネジ４ａに対応するオネジ９ａを有するネジ９をバネ固定金具８の貫通孔８ｃをとおってメネジ４ａに螺合することにより行われている。取付け状態では、シャフト４とバネ固定金具８との間に所定のスキマＸを形成しておく。これによって、シャフト４はバネ固定金具８に対して軸回りに回動可能に支持され、設置場所に固定した本体部２内でシャフト４を略水平面内で自由に角度を変えることができる。
【０００７】
図４に示すように、本体部２の内部には、互いに対向するように２つの定荷重バネ１０、１０が設けられている。この定荷重バネ１０は、細長くて帯状の板バネ１０ａがドラム部１０ｂにコイル状に巻かれたもので、ドラム部１０ｂから板バネ１０ａの外端１０ｃが引き伸ばされると、板バネ１０ａがドラム部１０ｂに巻き戻る方向に付勢力を発生する。本実施形態は、定荷重バネ１０を引き伸ばした時の巻き戻る力を利用して、投光器５を容易に持ち上げ、持ち上げた高さに投光器５を維持するように構成している。
ドラム部１０ｂは、本体部２の内壁面２ｄにネジ止めされ、板バネ下端１０ｃは、固定プレート８ａを介してバネ固定金具８の端部８ｂに取付けられている。定荷重バネ１０で本体部２とバネ固定金具８とがつながっているため、バネ固定金具８を介してシャフト４へ定荷重バネ１０の付勢力が作用する。投光器５の重量と定荷重バネ１０の付勢力とはバランスがとられており、とくに位置固定手段を設けなくても投光器５を任意の高さで保持でき、高さを変えるときにもわずかな力で行うことができる。投光器５を押し下げればその高さを低くすることができる。
図３と図５に示すように、バネ固定金具８に取付けた定荷重バネ１０の板バネ１０ａは、外端１０ｃを折れ曲げて、しかも傾斜して引き伸ばすようになっている。このようにしたのは次の理由による。すなわち、板バネ１０ａを伸展させると、バネ自身の力で横方向における両端がめくれあがるようになって横断面形状が凹状になる。この現象は、伸展するバネの長さが長くなればなるほど顕著に現れるものであり、めくれあがった部分がシャフトや外被に接触して伸長動作に支障が生じてしまう。そこで、外端１０ｃを折り曲げて斜めに引出すことで、伸展する板バネ１０ａの横断面形状が平面となって、上記不都合はない。
【０００８】
投光器５の重量が大きい場合には、バネ定数のより大きい定荷重バネを使用して重量バランスをとることができる他、定荷重バネ１０の数を増やして重量バランスをとることができる。重量バランスをとることで投光器５の重量に影響されずに任意の高さを維持でき、その高さ移動もわずかの力で行うことができる。例えば、定荷重バネ１０を各２対、合計４個を用いることができ、また、それよりも多い定荷重バネを用いることもできる。
【０００９】
シャフト４を、バネ固定金具８に対して軸回りに回動させる場合、バネ固定金具８とネジ９との間にスキマＸを設けたので、シャフト４、架台６および投光器５は、本体部２に対して略水平面内で角度を自在に変えることができる。この角度を固定するときには、保持部材３に設けたロックネジ７で行うことができる。このロックネジ７は、投光器５の高さを固定するときにも用いることができる。
【００１０】
図４に示すように、架台６にはラッチ錠１１が取付けられており、これに対応して保持部材３にミゾ部３ｂが形成されている。したがって、架台６および投光器５を最下位置となるように押し下げて（図２参照）、架台６と保持部材３とをラッチ錠１１で連結固定できる。
【００１１】
【発明の効果】
本発明は、定荷重バネを利用し、投光器又は他の搭載物をわずかな力で昇降させ、また任意の高さを維持するものであるので、構造も簡単で軽量に構成でき、設置面積もわずかで済む。また、シャフトは、バネ固定金具に対して、軸回りに回動可能であり、シャフトを略水平面内で自由に角度を変えることができる。
【図面の簡単な説明】
【図１】  本発明の一実施形態に係る手動伸縮柱に投光器を固定するとともにシャフトを伸ばした状態を示す正面図である。
【図２】  投光器を固定した手動伸縮柱のシャフトを押し下げた状態を示す右側面図である。
【図３】  図１のIII部の拡大図である。
【図４】  図１の手動伸縮柱の縦断面概略図である。
【図５】  図４のV部の拡大図である。
【符号の説明】
１  手動伸縮柱
２  本体部
２ａ  フランジ部
２ｂ  アングル部
２ｃ  水抜きパイプ
２ｄ  内壁面
３  保持部材
３ａ  オイルレスメタル
３ｂ  ミゾ部
４  シャフト
４ａ  メネジ
５  投光器
６  架台
７  ロックネジ
８  バネ固定金具
８ａ  固定プレート
８ｂ  端部
８ｃ  貫通孔
９  ネジ
９ａ  オネジ
１０  定荷重バネ
１０ａ  板バネ
１０ｂ  ドラム部
１０ｃ  外端
１１  ラッチ錠
Ｘ  スキマ
【図１】
0004249934.tif 000002
【図２】
0004249934.tif 000003
【図３】
0004249934.tif 000004
【図４】
0004249934.tif 000005
【図５】
0004249934.tif 000006